(57)【要約】【課題】容易かつ安価にてシステムを構築することができるとともに、メンテナンス性および操作性に優れたゴルフ場の散水システムを提供すること。【解決手段】ゴルフ場の各所に散水を行う散水バルブの動作を制御する散水コントローラ１４ａ，１４ｂ，１４ｃと、これらの散水コントローラ１４ａ，１４ｂ，１４ｃの動作を制御するコントローラ２０と、コントローラ２０を備えるとともに、コントローラ２０に対する命令を受信する中継局１３ａ，１３ｂ，１３ｃ，…と、中継局１３ａ，１３ｂ，１３ｃ，…へコントローラ２０に対する命令を送信する発信局１２と、発信局１２に接続され散水コントローラ１４ａ，１４ｂ，１４ｃに対する命令を出すパーソナルコンピュータ１１とにより散水システムを構築する。【選択図】            図１
2005027507.tif 000002
【特許請求の範囲】
【請求項１】
ゴルフ場の各所に散水を行う散水バルブと、
前記散水バルブの動作を制御するコントローラと、
前記散水バルブへの散水指令を送信する発信局と、
前記発信局から送信された前記散水指令を受信するとともに、前記散水指令に基づき前記コントローラに対する制御信号を生成する中継局と、
前記発信局に接続され前記散水指令を出す指令出力手段と、を有することを特徴するゴルフ場の散水システム。
【請求項２】
請求項１に記載するゴルフ場の散水システムにおいて、
前記中継局は、ゴルフ場の各ホール毎に設置され、
前記コントローラは、ティーグランド、フェアウェイ、グリーンの各ブロック毎に設置され、
前記中継局は、前記各ブロック毎に前記コントローラの動作を制御することを特徴するゴルフ場の散水システム。
【請求項３】
請求項１または請求項２に記載するゴルフ場の散水システムにおいて、
前記中継局は、前記発信局に対し信号の送信が可能であり、
前記発信局は、前記中継局から発信された信号の受信が可能であることを特徴するゴルフ場の散水システム。
【請求項４】
請求項１から請求項３に記載するいずれか１つのゴルフ場の散水システムにおいて、
前記発信局は、インターネットに接続されていることを特徴するゴルフ場の散水システム。
【請求項５】
請求項４に記載するゴルフ場の散水システムにおいて、
前記指令出力手段は、インターネットに接続可能な情報通信端末であることを特徴するゴルフ場の散水システム。
【請求項６】
請求項１から請求項５に記載するいずれか１つのゴルフ場の散水システムにおいて、
前記散水バルブは、自己保持型電磁弁を備え、
前記中継局は、前記自己保持型電磁弁の動作を制御するためのパルス信号を出力するパルス出力部を備え、
前記自己保持型電磁弁の開閉制御は、前記パルス出力部から出力されるパルス信号に基づいて行われることを特徴するゴルフ場の散水システム。
【請求項７】
請求項６に記載するゴルフ場の散水システムにおいて、
前記パルス出力部は、前記各ブロック毎に対応して設けられていることを特徴するゴルフ場の散水システム。
【請求項８】
請求項５に記載するいずれか１つのゴルフ場の散水システムにおいて、
前記コントローラは、リレー接点を備え、
同一ブロックに設置された前記コントローラは、前記リレー接点を利用して起動することを特徴するゴルフ場の散水システム。
【請求項９】
請求項５に記載するゴルフ場の散水システムにおいて、
前記中継局間での通信が可能であることを特徴するゴルフ場の散水システム。
【請求項１０】
請求項１から請求項９に記載するいずれか１つのゴルフ場の散水システムにおいて、
前記散水バルブは、前記指令出力手段にあらかじめ記憶されたプログラムにしたがって散水を行うことを特徴するゴルフ場の散水システム。
【発明の詳細な説明】
【０００１】
【発明の属する技術分野】
本発明は、ゴルフ場の散水システムに関する。さらに詳細には、遠隔操作により散水動作を制御することができるゴルフ場の散水システムに関するものである。
【０００２】
【従来の技術】
従来、ゴルフ場の散水システムでは、図６に示すように、散水箇所に個別に、散水バルブ１０３ａ，１０３ｂ，１０３ｃ，…を設置し、これらの散水バルブ１０３ａ，１０３ｂ，１０３ｃ，…まで配線を敷設して、必要に応じて散水バルブ１０３ａ，１０３ｂ，１０３ｃ，…の設置場所において、散水バルブ１０３ａ，１０３ｂ，１０３ｃ，…と一体化された散水設定コントローラ１０２ａ，１０２ｂ，１０２ｃ，…により、散水時間や散水量などの設定、変更を行うようになっている。なお、図６は、散水システム１００のシステム構成図である。したがって、従来の散水システム１００では、各散水箇所に実際に足を運びそこで散水を行ったり、散水時間や散水量などの設定、変更を行っていた。そのため、散水操作や散水内容の変更等の操作が非常に手間のかかる作業であった。
また、散水バルブ１０３ａ，１０３ｂ，１０３ｃ，…までの配線が途中で断絶された状態のまま放置されているゴルフ場が多いのが現状である。
【０００３】
そこで、ゴルフ場などにおける散水システムとして、無線を利用したシステムが種々提案されている。そのうちの１つとして、例えば、特開２００２−２３３２５５号公報に開示されている散水システムがある。この散水システム１１０は、図７に示すように、複数の散水エリアにそれぞれ設置された複数のスプリンクラーと、無線回線を介して複数のスプリンクラーの各弁１２１の開閉を遠隔制御する中央制御部１２０とを有する散水システムであって、中央制御部１２０は、気象観測器１２４により観測された散水エリアまたはその近傍の気象情報Ｄ１を記憶するメモリ部と、その記憶されている気象情報Ｄ１  に基づいて気象情報表示データを生成するデータ処理部と、データ処理部から出力される気象情報表示データに従って気象情報を表示する表示部とを備えて構成されている。なお、図７は、散水システム１２０のシステム構成図である。
【０００４】
そして、この散水システム１１０では、中央制御部１２０から気象情報Ｄ１と散水量情報Ｄ２とが親局無線装置１２５に伝送され、親局無線装置１２５から各子局無線装置１２６ａ，１２６ｂ，１２６ｃに対して散水制御信号が送信される。そうすると、散水制御信号が各子局無線装置１２６ａ，１２６ｂ，１２６ｃで受信されて、その散水制御信号に基づいて各散水エリアに設置された各スプリンクラーの各弁１２１の開閉動作が制御される。このようにして、各散水エリアにおける散水操作や散水内容の変更等の操作を、中央制御部１２０において集中的に行うことができるようになっている。
【０００５】
【特許文献１】
特開２００２−２３３２５５号公報（第３−５頁、第１図）
【０００６】
【発明が解決しようとする課題】
しかしながら、上記した特開２００２−２３３２５５号公報に記載されている散水システム１１０を構築するには高価な無線機材、つまり親局無線装置１２５と子局無線装置１２６ａ，１２６ｂ，１２６ｃが必要であるという問題があった。このため、散水システムが非常に高価なものとなってしまう。また、雷害などにより子局無線装置が破壊あるいは故障した場合の修理費も高額になるという問題があった。さらに、散水を行うための操作も複雑であり、専門的な知識が必要であった。このような事情から、実際には、上記した特開２００２−２３３２５５号公報に記載されているような散水システム１１０は、ゴルフ場において利用されていない状況にある。
【０００７】
そこで、本発明は上記した問題点を解決するためになされたものであり、容易かつ安価にてシステムを構築することができるとともに、メンテナンス性および操作性に優れたゴルフ場の散水システムを提供することを課題とする。
【０００８】
【課題を解決するための手段】
上記問題点を解決するためになされた本発明に係るゴルフ場の散水システムは、ゴルフ場の各所に散水を行う散水バルブと、前記散水バルブの動作を制御するコントローラと、前記散水バルブへの散水指令を送信する発信局と、前記発信局から送信された前記散水指令を受信するとともに、前記散水指令に基づき前記コントローラに対する制御信号を生成する中継局と、前記発信局に接続され前記散水指令を出す指令出力手段と、を有することを特徴するものである。
【０００９】
このゴルフ場の散水システムでは、指令出力手段、発信局、中継局、および散水コントローラにより散水システムが構築されている。これにより、指令出力手段からの命令を発信局から発信し、その信号を中継局で受信して散水コントローラへ伝送して散水バルブを制御することができる。具体的には、指令出力手段からの命令は中継局で受信され、その後、中継局でコントローラに対する制御信号が生成される。そして、コントローラで生成された制御信号が、散水機に対し出力され、その制御信号に基づいてコントローラの動作が制御される。その結果、散水バルブの開閉動作が制御され、散水制御が行われる。このようにして、命令出力手段にて散水コントローラ（ひいては散水バルブ）の動作を集中制御することができる。
【００１０】
そして、本システムは、汎用の命令出力手段（例えば、パーソナルコンピュータやソフトウェアなど）と、信号の送受信を行う発信局および中継局と、散水バルブと、散水バルブの動作を制御するコントローラとにより構成されているので、容易かつ安価にてゴルフ場の散水システムを構築することができる。なお、発信局と中継局との間における信号の送受信は、有線で行ってもよいし、無線で行ってもよい。
【００１１】
また、散水制御はコントローラが行うので、散水指示としては、どの散水バルブを起動させるかのみを入力すればよい。このため、専門知識がなくても誰でも簡単に取り扱うことができ、操作性が非常によい。
【００１２】
また、本発明に係るゴルフ場の散水システムにおいては、前記中継局は、ゴルフ場の各ホール毎に設置され、前記コントローラは、ティーグランド、フェアウェイ、グリーンの各ブロック毎に設置され、前記中継局は、前記各ブロック毎に前記コントローラの動作を制御することが望ましい。ゴルフ場には複数のホールがあり、その形状は各ホール毎に異なっている。このため、上記のようにすることにより、各ホール毎に最適な散水システムを構築することができるからである。また、各ホール毎に基本的なシステムが構築されるのでメンテナンス性も向上する。
【００１３】
また、本発明に係るゴルフ場の散水システムにおいては、前記中継局は、前記発信局に対し信号の送信が可能であり、前記発信局は、前記中継局から発信された信号の受信が可能であることが望ましい。これにより、命令出力手段によって散水バルブの動作状況をモニタリング等することができるからである。
【００１４】
また、本発明に係るゴルフ場の散水システムにおいては、前記発信局は、インターネットに接続されていることが望ましい。そして、前記指令出力手段は、インターネットに接続可能な通信端末であることをが望ましい。これにより、特定の命令出力手段以外にも、インターネットに接続可能な通信端末（例えば、携帯電話やＰＤＡなど）を利用して、散水バルブの動作を制御することができるからである。
【００１５】
また、本発明に係るゴルフ場の散水システムにおいては、  前記散水バルブは、自己保持型電磁弁を備え、前記中継局は、前記自己保持型電磁弁の動作を制御するためのパルス信号を出力するパルス出力部を備え、前記自己保持型電磁弁の開閉制御は、前記パルス出力部から出力されるパルス信号に基づいて行われることが望ましい。これにより、中継局の消費電力を低減することができるからである。
【００１６】
また、本発明に係るゴルフ場の散水システムにおいては、前記パルス出力部は、前記各ブロック毎に対応して設けられていることが望ましい。これにより、各ブロック毎に制御システムが構成され、メンテナンス性が向上するからでる。
【００１７】
また、本発明に係るゴルフ場の散水システムにおいては、前記コントローラは、リレー接点を備え、同一ブロックに設置された前記コントローラは、前記リレー接点を利用して起動することが望ましい。これにより、中継局と散水コントローラとの間における配線を簡単にすることができるからである。
【００１８】
また、本発明に係るゴルフ場の散水システムにおいては、前記中継局間での通信が可能であることが望ましい。発信局と中継局との通信を無線で行う場合、発信局からかなり離れた場所に設置された中継局において、信号を受信できないおそれがある。このため、中継局間での通信を可能とすることで、上記のような場合であっても、確実に発信局から発信された信号をすべての中継局が受信することができるからである。また、発信局と中継局との通信を有線で行う場合には、発信局から各中継局とを配線する必要がなくなるので配線が簡単になる。
【００１９】
また、本発明に係るゴルフ場の散水システムにおいては、前記散水バルブは、前記指令出力手段にあらかじめ記憶されたプログラムにしたがって散水を行うことが望ましい。これにより、より細やかな散水を行うことができるからである。
【００２０】
【発明の実施の形態】
以下、本発明のゴルフ場の散水システムを具体化した最も好適な実施の形態について図面に基づき詳細に説明する。そこで、本実施の形態に係るゴルフ場の散水システムの概略構成を図１に示す。なお、図１は、本実施の形態に係る散水システムの概略構成を示すシステム構成図である。この散水システムは、図１に示すように、管理棟側にパーソナルコンピュータ１１と発信局１２とが設置され、各ホール側に中継局１３ａ，１３ｂ，１３ｃ，…と各散水コントローラ１４ａ，１４ｂ，１４ｃとが備わっている。そして、発信局１２と各中継局１３ａ，１３ｂ，１３ｃ，…とが信号線により接続されている。これにより、管理棟において、各ホール毎に散水を集中制御することができるようになっている。そして、本散水システムでは、各ホール毎に基本システムが構築されるため、メンテナンス性に優れている。
【００２１】
発信局１２は、ルータ１５、モデム１６、およびスプリッタ１７を介し、契約プロバイダ１８によりインターネット１９に接続されている。そして、パーソナルコンピュータ１１がルータ１５に接続されている。このルータ１５を介してパーソナルコンピュータ１１と発信局１２とが接続されている。この発信局１２は、有線発信部１２ａと有線受信部１２ｂとを備え（図２参照）、各中継局１３ａ，１３ｂ，１３ｃ，…と信号線で接続されている。
【００２２】
一方、各中継局１３ａ，１３ｂ，１３ｃ，…は、各ホール毎に１台ずつ設置されている。そして、各ホール毎に設置された中継局１３ａ，１３ｂ，１３ｃ，…のぞれぞれと各散水コントローラ１４ａ，１４ｂ，１４ｃとが接続されている。なお、各散水コントローラ１４ａ，１４ｂ，１４ｃ，…には、散水バルブ（図３参照）および水を噴霧するスプリンクラー（図示せず）がそれぞれ接続され、各散水コントローラ１４ａ，１４ｂ，１４ｃを開閉することにより、スプリンクラーによる散水が行われるようになっている。
そして、本散水システムでは、各中継局１３ａ，１３ｂ，１３ｃ，…との間で通信が可能となっている。これにより、発信局から離れたホールでは、発信局１２と中継局とを接続するよりも、近接するホールに設置されている中継局とを接続して集中制御を行うことができるため、配線が簡単になる。
【００２３】
ここで、パーソナルコンピュータ１１は、市販されている汎用品である。このパーソナルコンピュータ１１は、各散水コントローラ１４ａ，１４ｂ，１４ｃの動作を制御するための制御信号を発信局１２により各中継局１３ａ，１３ｂ，１３ｃ，…へ発信するものである。パーソナルコンピュータ１１から命令を入力して即座に各散水コントローラ１４ａ，１４ｂ，１４ｃを作動させてスプリンクラーによる散水を行うこともできるし、あらかじめ作成した散水プログラムをパーソナルコンピュータ１１に入力し、その散水プログラムにしたがって各散水コントローラ１４ａ，１４ｂ，１４ｃを作動させてスプリンクラーによる散水を行うこともできるようになっている。例えば、グリーンに対する散水であれば、グリーンキーパーの経験に基づいて散水プログラムを作成すればよい。
【００２４】
また、発信局１２はインターネット１９に接続されているので、管理棟に設置されたパーソナルコンピュータ１１以外にも、インターネット１９に接続可能なパーソナルコンピュータ１１ａや携帯電話１１ｂから、各散水コントローラ１４ａ，１４ｂ，１４ｃの動作を制御するための制御信号を発信することもできるようになっている。
【００２５】
各中継局１３ａ，１３ｂ，１３ｃ，…は、すべて同一の構成を有しており、発信局１２から発信された制御信号を受信して、各散水コントローラ１４ａ，１４ｂ，１４ｃを作動させるためのパルス信号を生成し出力するものである。そこで、中継局の構成を図２に示す。なお、図２は、中継局の概略構成を示すブロック図である。
【００２６】
中継局１２には、図２に示すように、コントローラ２０と、信号処理部２３とが備わっている。そして、コントローラ２０には、メインＣＰＵ２１と、ティー用起動信号出力部２２ａと、フェアウェイ用起動信号出力部２２ｂと、グリーン用起動信号出力部２２ｃとが備わっている。また、信号処理部２３には、有線受信部２３ａと有線送信部２３ｂとが備わっている。なお、中継局１２の駆動電源としては、乾電池、ソーラ電池、およびＤＣ電源などを利用することができるようになっている。
【００２７】
メインＣＰＵ２１は、コントローラ２０の動作を統括的に制御するものであり、ワンチップマイコンで構成されている。そして、このＣＰＵ２１には、散水コントローラ１４ａに接続されたティー用起動信号出力部２２ａ、散水コントローラ１４ｂに接続されたフェアウェイ用起動信号出力部２２ｂ、および散水コントローラ１４ｃに接続されたグリーン用起動信号出力部２２ｃとが接続されている。また、メインＣＰＵ２１には、有線受信部２３ａとも接続されている。これにより、パーソナルコンピュータ１１、発信局１２、各受信局１３ａ，１３ｂ，１３ｃ，…および各散水コントローラ１４ａ，１４ｂ，１４ｃとで遠距離操作が可能なゴルフ場の散水システムが構築されている。
【００２８】
そして、本実施の形態では、汎用のパーソナルコンピュータ１１、発信局１２、および各中継局１３ａ，１３ｂ，１３ｃ，…とによりネットワークが構成されているので、容易かつ安価に散水システムを構築することができる。特に、各中継局１３ａ，１３ｂ，１３ｃ，…は、各散水コントローラ１４ａ，１４ｂ，１４ｃに対する命令の受信と発信のみを行うように構成しているので部品点数が少ないため、非常に安価にて製造することができるとともに、メンテナンス費も安価にでき、また信頼性も高い。
【００２９】
また、中継局１２における信号処理部２３に有線送信部２３ｂを設けているので、各散水コントローラ１４ａ，１４ｂ，１４ｃに対する設定プログラムの内容や現状の動作状態のモニタリングなどを行うことも可能となっている。
【００３０】
続いて、各散水コントローラ１４ａ，１４ｂ，１４ｃに接続されている散水バルブについて図３を参照して説明する。なお、散水コントローラ１４ａ，１４ｂ，１４ｃに接続されている散水バルブはすべて同一構成である。なお、図３は、散水バルブの構成を示す断面図である。
【００３１】
散水バルブは、自己保持型電磁弁の１種であるラッチ型電磁弁である。このように、散水バルブとしてラッチ型電磁弁を使用することにより、消費電力を低減することができる。そして、散水バルブには、図３に示すように、固定鉄心５１の周りにコイル５２の巻かれたソレノイド部が構成され、固定鉄心５１の下方には同軸上に先端に弁体６１の形成されたプランジャ５３が配設されている。また、本体５４には、入力ポート５５及び出力ポート５６が形成され、両ポートは本体５４内部に形成された弁座５７を介して連通されている。そして、スプリング５８によって下方に付勢されたプランジャ５３が、弁座５７に当接するように設けられている。更に、コイル５３下部には、磁性部材６２，６３で挟まれた永久磁石５９が配設されている。
【００３２】
そして、入力ポート５５に給水管（図示せず）が接続され、出力ポート５６に散水ノズル（図示せず）が接続されている。これにより、散水バルブ１３の開閉動作を制御することにより、スプリンクラーによる散水動作を制御することができるようになっている。具体的には、ティー用起動信号出力部２２ａから出力されるパルス信号により、散水コントローラ１４ａの動作が制御されて散水バルブの開閉動作が制御されるようになっている。また、同様に、フェアウェイ用起動信号出力部２２ｂから出力されるパルス信号により、散水コントローラ１４ｂの動作が制御されて散水バルブの開閉動作が制御され、グリーン用起動信号出力部２２ｃから出力されるパルス信号により、散水コントローラ１４ｃの動作が制御されて散水バルブの開閉動作が制御されるようになっている。
【００３３】
ここで、フェアウェアには、複数の散水コントローラ１４ｂ，１４ｂ，１４ｂ，…が設置されている。これらの散水コントローラ１４ｂ，１４ｂ，１４ｂ，…をフェアウェア用起動信号出力部２２ｂにより１つずつ起動制御することも可能であるが、図４に示すように、各散水コントローラ１４ｂ，１４ｂ，１４ｂ，…に、リレー接点６５，６５，６５，…を設けて、順次散水コントローラ１４ｂ，１４ｂ，１４ｂ，…が起動するようにするのが好ましい。こうすることにより、中継局１３ａ，１３ｂ，１３ｃ，…と散水コントローラ１４ｂ，１４ｂ，１４ｂ，…とを個別に配線する必要がなくなるので、配線を簡単にすることができる。
【００３４】
次に、上記のような構成を有する散水システムの動作について説明する。まず、管理棟に設置されているパーソナルコンピュータ１１に、散水を行うホール番号と場所（ティーグランド、フェアウェイ、グリーン）を入力する。そうすると、パーソナルコンピュータ１１にインストールされた散水プログラムにしたがって、指定された中継局に対する指令が生成される。
【００３５】
次いで、パーソナルコンピュータ１１で生成された指令は、発信局１２から指定されたホールの中継局に送信される。場合によっては、発信局１２から他の中継局を経由して指定された中継局に指令が送信されることもある。
パーソナルコンピュータ１１からの指令を、指定されたホールの中継局メインＣＰＵ２１が受信すると、メインＣＰＵ２１は、受信した命令内容にしたがって散水を行う場所の信号出力部にパルス信号生成命令を出力する。つまり、散水場所がティーグランドであれば、ティー用信号出力部２２ａにパルス信号生成命令を出力し、散水場所がフェアウェイであれば、フェアウェイ用信号出力部２２ｂにパルス信号生成命令を出力し、散水場所がグリーンであれば、グリーン用信号出力部２２ｃにパルス信号生成命令を出力する。なお、散水場所が複数の場合（例えば、ティーグランドとグリーン等）には、その組み合わせに応じて各信号出力部に対してパルス信号生成命令が出力される。
そして、パルス信号生成命令がいずれかの信号出力部（２２ａ，２２ｂ，２２ｃ）に入力されると、いずれかの散水コントローラ（１４ａ，１４ｂ，１４ｃ）に対するパルス信号が出力される。
【００３６】
そして、信号出力部（２２ａ，２２ｂ，２２ｃ）からプラスのパルス信号が出力されて散水コントローラ（１４ａ，１４ｂ，１４ｃ）に入力されると、散水バルブではコイル５２に磁界が発生し、この磁界と永久磁石５９の磁界方向とが合致するため、下方に付勢していたスプリング５８に反してプランジャ５９が上方へ吸引される。そのため、それまでプランジャ５９下端の弁体６１が弁座５７に当接され流路を遮断していたが、プランジャ５９の上昇により弁が開放され入力ポート５５から出力ポート５６へ水が流れることとなる。また、上記したようにパルス信号は１回のみ印加されるが、パルスの印加後は永久磁石５９の磁力によってプランジャ５３は、上昇した状態が維持される。したがって、散水が開始されると、そのまま継続して散水が行われる。
【００３７】
一方、信号出力部（２２ａ，２２ｂ，２２ｃ）から散水コントローラ（１４ａ，１４ｂ，１４ｃ）に対してマイナスのパルス信号が出力されて散水コントローラ（１４ａ，１４ｂ，１４ｃ）に入力されると、散水バルブではコイル５２に発生する磁界と永久磁石５９の磁界とが打ち消し合い、その結果、両磁力から開放されるので、スプリング５８によって下方へ付勢されて弁体６１が弁座５７に当接して入力ポート５５と出力ポートとが遮断される。これにより、散水が終了する。
【００３８】
このように、管理棟に設置されたパーソナルコンピュータ１１によって、ゴルフ場の各所に設置された散水コントローラ１４ａ，１４ｂ，１４ｃ開閉動作の制御、つまり散水制御を集中的に行うことができる。このため、ゴルフ場における散水作業を効率よく行うことができる。また、パーソナルコンピュータ１１に対して、散水を行うホール番号と場所を入力するだけで、希望の散水を行うことができるため操作が非常に簡単であり、専門知識がなくても本散水システムを取り扱うことができる。
【００３９】
以上、詳細に説明したように本実施の形態に係る散水システムは、パーソナルコンピュータ１１、発信局１２、コントローラ２０を内蔵する中継局１３ａ，１３ｂ，１３ｃ，…、および散水コントローラ１４ａ，１４ｂ，１４ｃにより構築されている。これにより、パーソナルコンピュータ１１からの命令を発信局１２から発信し、その信号を中継局１３ａ，１３ｂ，１３ｃ，…で受信して散水コントローラ１４ａ，１４ｂ，１４ｃへ伝送することができる。つまり、パーソナルコンピュータ１１からの命令は中継局１３ａ，１３ｂ，１３ｃ，…で受信され、その後、中継局１３ａ，１３ｂ，１３ｃ，…に備わるコントローラ２０で散水コントローラ１４ａ，１４ｂ，１４ｃに対する制御信号が生成される。そして、コントローラ２０で生成された制御信号が、散水コントローラ１４ａ，１４ｂ，１４ｃに対し出力され、その制御信号に基づいて散水コントローラ１４ａ，１４ｂ，１４ｃの動作が制御される。このようにして、パーソナルコンピュータ１１にて散水コントローラ１４ａ，１４ｂ，１４ｃの動作を集中制御することができる。
【００４０】
したがって、本実施の形態に係る散水システムによれば、容易かつ安価にてゴルフ場の散水システムを構築することができる。また、散水制御はコントローラ２０および散水コントローラ１４ａ，１４ｂ，１４ｃが行うので、散水指示としては、どのホールのどの場所（ティーグランド、フェアウェア、グリーン）に散水を行うかのみを入力すればよい。このため、専門知識がなくても誰でも簡単に取り扱うことができ、操作性が非常によい。
【００４１】
また、本実施の形態に係る散水システムにおいては、各中継局１３ａ，１３ｂ，１３ｃ，…では、発信局１２に対し信号の送信が可能であり、発信局１２は、各中継局１３ａ，１３ｂ，１３ｃ，…から発信された信号の受信が可能であるので、パーソナルコンピュータ１１によって散水条件の設定を出力したり、散水コントローラ１４ａ，１４ｂ，１４ｃの動作状況をモニタリング等することができる。
【００４２】
また、本実施の形態に係る散水システムにおいては、発信局１２は、インターネット１９に接続されているので、特定のパーソナルコンピュータ１１以外にも、インターネット１９に接続可能なパーソナルコンピュータ１１ａや携帯電話１１ｂを利用して、散水コントローラ１４ａ，１４ｂ，１４ｃの動作を制御することもできる。
【００４３】
また、本実施の形態に係る散水システムにおいては、各中継局１３ａ，１３ｂ，１３ｃ，…は各ホール毎に設置され、散水コントローラ１４ａ，１４ｂ，１４ｃは、ティーグランド、フェアウェイ、グリーンの各ブロック毎に設置されて制御されるので、各ホール毎に基本的なシステムが構築されるのでメンテナンス性を向上させることができる。
【００４４】
また、本実施の形態に係る散水システムにおいては、フェアウェイに複数設置されている散水コントローラ１４ｂ，１４ｂ，１４ｂ，…は、リレー接点６５，６５，６５，…を備え、このリレー接点６５を利用して順次、散水コントローラ１４ｂ，１４ｂ，１４ｂ，…を起動するようにしていので、中継局１３ａ，１３ｂ，１３ｃ，…と散水コントローラ１４ｂ，１４ｂ，１４ｂ，…との間における配線を簡単にすることができる。
【００４５】
また、本実施の形態に係る散水システムにおいては、中継局１３ａ，１３ｂ，１３ｃ，…間での通信が可能となっているので、必ずしも発信局１２と各中継局１３ａ，１３ｂ，１３ｃ，…と信号線で接続する必要がないため、配線が簡単になる。
【００４６】
なお、上記した実施の形態は単なる例示にすぎず、本発明を何ら限定するものではなく、その要旨を逸脱しない範囲内で種々の改良、変形が可能であることはもちろんである。例えば、発信局１２および各中継局１３ａ，１３ｂ，１３ｃ，…を、図５に示すように、無線対応型の発信局３２および中継局３３とすることにより、無線システムを構築することもできる。なお、発信局３２は、無線送信部３２ａと無線受信部３２ｂとを備え、中継局３２は、無線受信部３３ａと無線送信部３３ｂとを備えている。
【００４７】
【発明の効果】
以上説明した通り本発明に係るゴルフ場の散水システムによれば、ゴルフ場の各所に散水を行う散水バルブと、前記散水バルブの動作を制御するコントローラと、前記散水バルブへの散水指令を送信する発信局と、前記発信局から送信された前記散水指令を受信するとともに、前記散水指令に基づき前記コントローラに対する制御信号を生成する中継局と、前記発信局に接続され前記散水指令を出す指令出力手段と、を有する容易かつ安価にてシステムを構築することができるとともに、メンテナンス性および操作性を向上させることができる。
【図面の簡単な説明】
【図１】実施の形態に係るゴルフ場の散水システムの概略構成を示すシステム構成図である。
【図２】中継局の概略構成を示すブロック図である。
【図３】散水バルブの概略構成を示す断面図である。
【図４】散水コントローラのリレー接続について説明するための説明図である。
【図５】実施の形態に係るゴルフ場の散水システムにおける変形例を示すシステム構成図である。
【図６】従来のゴルフ場の散水システムの概略構成を示すシステム構成図である。
【図７】従来の無線を利用した散水システムの概略構成を示すシステム構成図である。
【符号の説明】
１１    パーソナルコンピュータ
１２    発信局
１３ａ，１３ｂ，１３ｃ，…  中継局
１４ａ，１４ｂ，１４ｃ      散水コントローラ
２０    散水コントローラ
２１    ＣＰＵ
【図１】
2005027507.tif 000003
【図２】
2005027507.tif 000004
【図３】
2005027507.tif 000005
【図４】
2005027507.tif 000006
【図５】
2005027507.tif 000007
【図６】
2005027507.tif 000008
【図７】
2005027507.tif 000009